(57)【要約】【課題】持ち運び性のよい洗浄、殺菌・除菌、消臭シートを安価にかつ扱いやすく保存性のよいものを提供することを目的とする。【解決手段】シートは繊維から構成されておりこのシートの繊維の一部に水等の液体に可溶する洗浄成分固体あるいは、洗浄、殺菌・除菌成分固体、あるいは、消臭成分固体を付着させこの繊維のシートに水等の液体を与えることにより水に可溶する洗浄成分、殺菌・除菌成分、消臭成分が溶出し手軽な洗浄、殺菌・抗菌、消臭効果を含む機能シートを安価に提供することが可能となる。【選択図】  図1
2011147765.tif 000002
【特許請求の範囲】
【請求項１】
繊維質から構成されたシートの繊維の一部に、水に可溶性があり水に溶解するとマイナスイオンが生成することにより洗浄機能、殺菌・除菌機能あるいは両者（洗浄機能、殺菌・除菌機能）を発揮する固体を付着させ、さらに該シートには水を格納しているマイクロカプセルを設け、該マイクロカプセルの水がマイクロカプセルの破壊によって該繊維に供給されると該固体が水に溶解し該シートが洗浄シートあるいは殺菌・除菌シートあるいは洗浄殺菌・除菌シートとなることを特徴とする機能シート
【請求項２】
前記マイナスイオンは塩素イオン（Ｃｌ−）であることを特徴とする特許請求範囲第1項記載の機能シート
【請求項３】
前記マイクロカプセルに含有される水には匂いがつけられていることを特徴とする特許請求範囲第１項記載の機能シート
【請求項４】
前記洗浄はマイナスイオンが被洗浄物と汚れの間に浸透し汚れの表面全面および被洗浄物表面に付着しマイナスイオン同士の反発力により汚れが被洗浄物から剥離するとことにより達成されることを特徴とする特許請求範囲第１項記載の機能シート
【請求項５】
前記繊維質は不織布、織布、和紙、洋紙、スポンジ、あるいは不織布、織布、和紙、洋紙、スポンジの中から選ばれた２以上の組み合わせであることを特徴とする特許請求範囲第１項記載の機能シート
【請求項６】
繊維質から構成されたシートの繊維の一部に水に可溶性があり、水に溶解するとマイナスイオンが生成することにより洗浄機能を発揮する固体を付着させ、さらに該シートには水を格納しているマイクロカプセルを設け、該マイクロカプセルの水がマイクロカプセルの破壊によって該固体に供給されると該シートが洗浄シートとなる機能シートの製法であって、マイナスイオンを含む水を繊維質のシートに印刷または浸漬し乾燥させ、さらに水を格納しているマイクロカプセルを配置したことを特徴とする洗浄機能を有する機能シートの製法
【請求項７】
前記マイナスイオンは塩素イオン（Ｃｌ−）であって該塩素イオンの濃度が２０００ｍｇ／ｌ〜４００００ｍｇ／ｌであることを特徴とする特許請求範囲第６項記載の洗浄機能を有する機能シートの製法
【請求項８】
前記シートは複数のシートから構成され少なくとも1枚のシートに水を含有したマイクロカプセルを印刷し該シートを重ね合わせ接着することを特徴とする特許請求範囲第６項記載の洗浄機能を有する機能シートの製法
【請求項９】
繊維質から構成されたシートの繊維の一部に、水に可溶性があり水に溶解するとマイナスイオンが生成することにより殺菌・除菌機能あるいは洗浄機能、殺菌・除菌機能を発揮する固体を付着させ、さらに該シートには水を格納しているマイクロカプセルを設け、該マイクロカプセルの水がマイクロカプセルの破壊によって該繊維に供給されると該固体が水に溶解し該シートが殺菌・除菌シートあるいは洗浄、殺菌・除菌シートの製法であって、マイナスイオンを含む水を繊維質のシートに印刷または浸漬し乾燥させ、さらに水を格納しているマイクロカプセルを配置したことを特徴とする殺菌・除菌機能あるいは洗浄、殺菌・除菌機能を有する機能シートの製法
【請求項１０】
前記マイナスイオンは塩素イオン（Ｃｌ−）であって該塩素イオンの濃度が３００００ｍｇ／ｌ〜４００００ｍｇ／ｌであることを特徴とする特許請求範囲第９項記載の殺菌・除菌機能あるいは洗浄、殺菌・除菌機能を有する機能シートの製法
【請求項１１】
繊維質から構成されたシートの繊維の一部に、水に溶解すると洗浄機能を発揮するマイナスイオンを生成する固体を付着させ、該シートに水が供給されると該固体は水に溶解し洗浄機能を発揮する洗浄シートとなることを特徴とする機能シート
【請求項１２】
前記マイナスイオンは塩素イオン（Ｃｌ−）であることを特徴とする特許請求範囲第１１項記載の機能シート
【請求項１３】
前記シートはその片方の面に不通水性の膜が形成してあることを特徴とする特許請求範囲第１１項記載の機能シート
【請求項１４】
前記洗浄はマイナスイオンが被洗浄物と汚れの間に浸透し汚れの表面全面および被洗浄物表面に付着しマイナスイオン同士の反発力により汚れが被洗浄物から剥離することにより達成されることを特徴とする特許請求範囲第１１項記載の機能シート
【請求項１５】
前記繊維質は不織布、織布、和紙、洋紙、スポンジ、あるいは不織布、織布、和紙、洋紙、スポンジの中から２以上の組み合わせであることを特徴とする特許請求範囲第１１項記載の機能シート
【請求項１６】
繊維質から構成されたシートの繊維の一部に、水に溶解するとマイナスイオンが生成することにより洗浄機能を発揮する固体を付着させ、該シートに存在する該固体に水が供給されると固体は水に溶解し洗浄機能を有する機能シートの製法であってマイナスイオンを含有する水を繊維質のシートに印刷または浸漬し乾燥させたことを特徴とする洗浄機能を有する機能シートの製法
【請求項１７】
前記マイナスイオンは塩素イオン（Ｃｌ−）であり該マイナスイオンの濃度は２０００ｍｇ／ｌ〜４００００ｍｇ／ｌであることを特徴とする請求項１６項記載の洗浄機能を有する機能シートの製法
【請求項１８】
繊維質から構成されたシートの繊維の一部に、マイナスイオン洗浄成分液体を格納したマイクロカプセルを該シートの一部に配置し該マイクロカプセルが破壊し内部の液体がシートに染み出すことにより洗浄シートとなることを特徴とする機能シート
【請求項１９】
前記マイナスイオンは塩素イオン（Ｃｌ−）であることを特徴とする特許請求範囲第１８項記載の機能シート
【請求項２０】
前記マイクロカプセルに含有される液体には匂いがつけられていることを特徴とする特許請求範囲第１８項記載の機能シート
【請求項２１】
前記洗浄はマイナスイオンが被洗浄物と汚れの間に浸透し汚れの表面全面および被洗浄物表面に付着しマイナスイオン同士の反発力により汚れが被洗浄物から剥離することにより達成されることを特徴とする特許請求範囲第１８項記載の機能シート
【請求項２２】
前記繊維質は不織布、織布、和紙、洋紙、スポンジ、あるいは不織布、織布、和紙、洋紙、スポンジの中から２以上の組み合わせであることを特徴とする特許請求範囲第１８項記載の機能シート
【請求項２３】
繊維質から構成されたシートの繊維の一部に、マイナスイオン洗浄成分液体を含有したマイクロカプセルを該シートの一部に配置し該マイクロカプセルが破壊し内部の液体がシートに染み出すことによる洗浄シートの製法であってマイナスイオンを含む水を格納したマイクロカプセルを印刷したことを特徴とする洗浄機能を有する機能シートの製法
【請求項２４】
前記マイナスイオンは塩素イオン（Ｃｌ−）であり該塩素イオンの濃度が２０００ｍｇ／ｌ〜４００００ｍｇ／ｌであることを特徴とする特許請求範囲第２３記載の機能シートの製法
【請求項２５】
前記シートは複数のシートから構成され少なくとも1枚のシートにマイナスイオンを格納した液体を格納したマイクロカプセルを配置し該シートを重ね合わせ接着することを特徴とする特許請求範囲第２３項記載の機能シートの製法
【請求項２６】
繊維質から構成されたシートの繊維の一部に、水に溶解すると、塩素イオン（Ｃｌ―）塩素イオンが生成することにより消臭機能を発揮する固体を付着させ、該シートに水が供給されると該固体が溶解し消臭機能を発揮する消臭シートとなることを特徴とする機能シート
【請求項２７】
前記消臭はアンモニアと前記塩素イオン（Ｃｌ−）が結合することによって無臭の塩化アンモニウムを生成することによって達成すことを特徴とする特許請求範囲第２６項記載の機能シート
【請求項２８】
繊維質から構成されたシートの繊維の一部が水に溶解すると、塩素イオン（Ｃｌ―）が生成することによる消臭機能を有する固体を付着させ、該シートに水が供給されると該固体が溶解し消臭機能を有する消臭シートの製法であって塩素イオンを２０００ｍｇ／ｌ〜４００００ｍｇ／ｌを含む水を繊維質のシートに印刷または浸漬し乾燥させたことを特徴とする消臭機能を有する機能シートの製法
【発明の詳細な説明】
【技術分野】
【０００１】
本発明は、例えば便座、什器、食器、各種台所用品、衣類を洗浄したり殺菌・除菌したり、消臭する洗浄、殺菌・除菌、消臭を簡便に使用できるシートに関する。
【背景技術】
【０００２】
現在排気ガス、黄砂、ほこり等の汚れ、各種台所用品・什器の汚れ、各種細菌等がくっついていたりあるいは靴、靴下など不愉快な臭気が存在する。手足、便座、各種什器・機器・台所用品を洗浄するため、あるいは洗浄、殺菌・除菌あるいは消臭する必要がある。しかしながらこういったことをするためには例えば洗浄の場合、水と洗剤等を使い洗浄をする必要がある。便座、手指などの殺菌・除菌にはアルコール等が必要になる。また靴、靴下などの臭いを取ることが必要となる。
【０００３】
各種の洗浄するための機器、シート等が提案されているがほとんどの場合合成界面活性剤の入った洗浄剤を使う必要がありその場合大量の水で流し落としたりする必要がある。また殺菌・除菌についても引火性であるアルコールを使うといった面倒な処理を行う必要が発生している。臭気については臭気の元を生成する微生物の増殖を防ぐため殺菌剤等を使う必要があった。
【０００４】
例えば特許文献１特開２００９−１５３５５３では被掃除体に固着した油分を含んだ汚を容易に取り除くことができる掃除具を提供するためにシート状の不織布と、モース硬度が９の研磨材を含み、不織布の一方面上に島状に形成された研磨層と、研磨層を覆うように形成された洗浄層は界面活性剤とバインダーとの混合物溶液を塗布、乾燥させることによって形成されている洗浄層を備えることによって水等に付けて汚れを擦り取るようになっている。消臭についてはたとえば特許文献２特開２００８−０９４７７５等で臭気の元となる微生物の増殖を抑制するような試みがされている。  
【特許文献１】特開２００９−１５３５５３
【特許文献２】特公２００８−０９４７７５
【発明の開示】
【発明が解決しようとする課題】
【０００５】
従来の洗浄シート、殺菌・除菌シートは通常特許文献１に示されるように研磨剤、合成界面活性剤が含まれており何層にもなりその構造も複雑となりまた環境にも影響を与えてしまいます。従来品では多量の水などが必要であるしまた研磨剤等で表面に傷がつくことなどもあり手軽に使うことが難しく、さらにこの洗浄、殺菌・除菌シートのパッケージが大掛かりなものになってしまい高価になってしまう。また簡便で手軽に使える安価な消臭可能なシートは存在しなかった。本発明はこういった不便を解消するために手軽に持ち運びが容易で保存性が高く、及び洗浄、殺菌・除菌、消臭効果が高く安価な洗浄、殺菌・除菌、消臭シートが求められていた。また不愉快なアンモニア等の臭気を消臭する手軽に使える安価なシートが求められていた。例えば簡便に便座の洗浄、殺菌・除菌、消臭を可能にするシートがあれば非常に便利であり市場から待ち望まれていた。
【課題を解決するための手段】
【０００６】
本発明者らは上記の課題を解決するため鋭意研究を行い次のような手法をとった。すなわち繊維質から構成されたシートの繊維の一部に、水に可溶性があり水に溶解するとマイナスイオンが生成することにより洗浄機能、殺菌・除菌機能あるいは両者（洗浄機能、殺菌・除菌機能）を発揮する固体を付着させ、さらにこのシートには水を格納しているマイクロカプセルを設け、このマイクロカプセルの水がマイクロカプセルの破壊によって前述の繊維に供給されると前述の固体が水に溶解しシートが洗浄シートあるいは殺菌・除菌シートあるいは洗浄、殺菌・除菌シートとなるようにすればよい。
【０００７】
そしてここでのマイナスイオンは塩素イオン（Ｃｌ−）であればよい。また必要に応じてマイクロカプセルに含有される水には人が好む匂いをつけておけば洗浄時、殺菌・除菌時、あるいは洗浄、殺菌・除菌時に人を心地よい気分にさせる。
【０００８】
前述の洗浄はマイナスイオンが被洗浄物と汚れの間に浸透し汚れの表面全面および被洗浄物表面に付着しマイナスイオン同士の反発力により汚れが被洗浄物から剥離することにより達成されるものである。この繊維質は不織布、織布、和紙、洋紙、スポンジ、あるいは不織布、織布、和紙、洋紙、スポンジの中から選ばれた２以上の組み合わせであればよい。
【０００９】
機能シートの機能が洗浄機能である場合についての製法を説明する。繊維質から構成されたシートの繊維の一部に水に可溶性があり、水に溶解するとマイナスイオンが生成することにより洗浄機能を発揮する固体を付着させ、さらにこのシートには水を格納しているマイクロカプセルを設け、このマイクロカプセルの水がマイクロカプセルの破壊によって前述の固体に供給されるとシートが洗浄シートとなる機能シートの製法であって、マイナスイオンを含む水を繊維質のシートに印刷または浸漬し乾燥させ、さらに水を格納しているマイクロカプセルを配置するようにすればよい。
【００１０】
前述のマイナスイオンは塩素イオン（Ｃｌ−）が好ましく、この塩素イオン（Ｃｌ−）の濃度が２０００ｍｇ／ｌ〜４００００ｍｇ／ｌの範囲が好適である。塩素イオン（Ｃｌ−）の濃度が２０００ｍｇ／ｌ以下では十分な洗浄効果が発揮されず４００００ｍｇ／ｌ以上では繊維質に対する損傷や変色が発生してしまう。
【００１１】
このシートは複数のシートから構成され少なくとも1枚のシートに水を含有したマイクロカプセルを印刷しこのシートを積層し接着してもよい。
【００１２】
機能シートが殺菌・除菌あるいは洗浄、殺菌・除菌の機能である場合についての製法を説明する。繊維質から構成されたシートの繊維の一部に、水に可溶性があり水に溶解するとマイナスイオンが生成することにより殺菌・除菌機能あるいは洗浄機能、殺菌・除菌機能を発揮する固体を付着させ、さらにこのシートには水を格納しているマイクロカプセルを設け、このマイクロカプセルの水がマイクロカプセルの破壊によって該繊維に供給されると前述の固体が水に溶解しシートが殺菌・除菌シートあるいは洗浄、殺菌・除菌シートの製法であって、マイナスイオンを含む水を繊維質のシートに印刷または浸漬し乾燥させ、さらに水を格納しているマイクロカプセルを配置するようにすればよい。
【００１３】
前述のマイナスイオンは塩素イオン（Ｃｌ−）が好ましく塩素イオン（Ｃｌ−）の濃度が３００００ｍｇ／ｌ〜４００００ｍｇ／ｌが好適である。塩素イオン（Ｃｌ−）の濃度が３００００ｍｇ／ｌ以下では十分な除菌・殺菌効果が発揮されず４００００ｍｇ／ｌ以上では繊維質に対する損傷や変色が発生してしまう。
【００１４】
次に機能シートが洗浄機能シートの場合について説明する。繊維質から構成されたシートの繊維の一部に、水に溶解すると洗浄機能を発揮するマイナスイオンを生成する固体を付着させ、このシートに水が供給されると固体は水に溶解し洗浄機能を発揮する洗浄シートとすればよい。
【００１５】
前述のマイナスイオンは塩素イオン（Ｃｌ−）であれば好ましい。またこのシートはその片方の面に不通水性の膜が形成してあればよい。このようにシートはその片方の面に不通水性の膜が形成してあることによって人がこの機能シートを使って手で洗浄する時に不通水性の膜により手に汚れ等が付着せず手が保護される。
【００１６】
前述の洗浄はマイナスイオンが被洗浄物と汚れの間に浸透し汚れの表面全面および被洗浄物表面に付着しマイナスイオン同士の反発力により汚れが被洗浄物から剥離することにより達成されている。前述の繊維質は不織布、織布、和紙、洋紙、スポンジ、あるいは不織布、織布、和紙、洋紙、スポンジの中から２以上の組み合わせであればよい。
【００１７】
洗浄機能シートの製法について説明する。繊維質から構成されたシートの繊維の一部に、水に溶解するとマイナスイオンが生成することにより洗浄機能を発揮する固体を付着させ、このシートに水が供給されると前述の固体は水に溶解し洗浄機能を有する機能シートの製法であってマイナスイオンを含有する水を繊維質のシートに印刷または浸漬し乾燥させればよい。
【００１８】
前述のマイナスイオンは塩素イオン（Ｃｌ−）が好ましくマイナスイオンである塩素イオン（Ｃｌ−）の濃度は２０００ｍｇ／ｌ〜４００００ｍｇ／ｌが好適である。マイナスイオンである塩素イオン（Ｃｌ−）の濃度が２０００ｍｇ／ｌ以下では十分な洗浄効果が発揮されず４００００ｍｇ／ｌ以上では繊維質に対する損傷や変色が発生してしまう。
【００１９】
次にマイクロカプセルに洗浄機能を持つマイナスイオンを含有する水を格納した場合について説明する。繊維質から構成されたシートの繊維の一部に、マイナスイオン洗浄成分液体を格納したマイクロカプセルをこのシートの一部に配置しこのマイクロカプセルが破壊し内部の液体がシートに染み出すことにより洗浄シートとなるようにすればよい。そして前述のマイナスイオンは塩素イオン（Ｃｌ−）であれば好適である。
【００２０】
また必要に応じてマイクロカプセルに含有される水には人が好む匂いをつけておけば洗浄時に人を心地よい気分にさせる。
【００２１】
前述の洗浄はマイナスイオンが被洗浄物と汚れの間に浸透し汚れの表面全面および被洗浄物表面に付着しマイナスイオン同士の反発力により汚れが被洗浄物から剥離することにより達成される。前述の繊維質は不織布、織布、和紙、洋紙、スポンジ、あるいは不織布、織布、和紙、洋紙、スポンジの中から２以上の組み合わせであればよい。
【００２２】
繊維質から構成されたシートの繊維の一部に、マイナスイオン洗浄成分液体を含有したマイクロカプセルをこのシートの一部に設け、このマイクロカプセルが破壊し内部の液体がシートに染み出すことによる洗浄機能を発揮するシートの製法であってマイナスイオンを含む水を格納したマイクロカプセルを印刷によって配置すればよい。
【００２３】
前述のマイナスイオンは塩素イオン（Ｃｌ−）が好ましく、この塩素イオンの濃度が２０００ｍｇ／ｌ〜４００００ｍｇ／ｌが好適である。マイナスイオンである塩素イオン（Ｃｌ−）濃度が２０００ｍｇ／ｌ以下では十分な洗浄効果が発揮されず４００００ｍｇ／ｌ以上ではマイクロカプセルに対する損傷、変色が発生してしまう。
【００２４】
前述のシートは複数のシートから構成され少なくとも1枚のシートにマイナスイオンを格納した液体を格納したマイクロカプセルを配置しこのシートを積層し接着してもよい。
【００２５】
次に消臭機能シートについて説明する。繊維質から構成されたシートの繊維の一部に、水に溶解すると、塩素イオン（Ｃｌ―）が生成することにより消臭機能を発揮する固体を付着させ、このシートに水が供給されると固体が溶解し消臭機能を発揮する消臭シートとすればよい。
【００２６】
前述の消臭はアンモニアと塩素イオン（Ｃｌ−）が結合することによって無臭の塩化アンモニウムを生成することによるものである。
【００２７】
次に消臭機能シートの製法について説明する。繊維質から構成されたシートの繊維の一部が水に溶解すると、塩素イオン（Ｃｌ―）が生成することによる消臭機能を有する固体を付着させ、このシートに水が供給されると固体が溶解し消臭機能を有する消臭シートの製法であって塩素イオン（Ｃｌ―）を２０００ｍｇ／ｌ〜４００００ｍｇ／ｌ含む水を繊維質のシートに印刷または浸漬し乾燥させればよい。塩素イオン（Ｃｌ―）が２０００ｍｇ／ｌ以下では十分な消臭効果が発揮されず４００００ｍｇ／ｌ以上では繊維質に対する損傷、変色が発生してしまう。
【発明の効果】
【００２８】
本発明によれば人が手軽に持ち運びが容易で保存性が高い、簡便な構造で安価な洗浄、殺菌・除菌、消臭シートを提供することが可能となる。少量の水があるか、あるいは水等の液体マイクロカプセル入りの場合、まったく液体が無くても汚れ物を洗浄可能であり、被洗浄対象物、被殺菌・除菌対象物を洗浄、殺菌・除菌することが可能となる。また人間が不愉快になる臭いに対し消臭が可能となる。さらに残留物を残す泡、環境負荷等に問題のある合成界面活性剤等が入っていないため多量の水で洗い流す必要も無いという利点もある。
【発明を実施するための最良の形態】
【００２９】
以下に本発明を実施する最良の形態の例について図に基づいて詳細に説明していく。図１は本発明の１実施形態の模式図でありシート１０１の断面図である。１０３は不織布であり繊維質中に溶解する前の１０２の固体が設けられている。この固体には水などに溶解する成分から構成されている。１０４はマイクロカプセルでありマイクロカプセルの中には１０５の水が充填されている。このマイクロカプセルは力を加えると破壊し内部の水が不織布に染み出す構造となっている。
【００３０】
その場合のメカニズムを説明したものが図２から図４である。図２で２０３は不織布であり２０２は溶解する前の固体で２０４はマイクロカプセルでありマイクロカプセルの中には２０５の水が充填されている。２０６は圧力で、圧力をかけることにより２０４のマイクロカプセルが破壊され２０５の水が不織布に流出する。必要に応じて水に匂いの元を入れておけばマイクロカプセルが破壊された時に匂いを出すことが可能となり、人の好みに合った匂いの元を入れておけば人は快適になる。
【００３１】
図３はそのメカニズムを示しており、３０３の不織布に３０４のマイクロカプセルが破壊され水が流出し３０２、３０２ａの固体に３０５の水分が滲みこみ３０６のように固体が溶解する。３０２ａは固体に水がしみこんで行く様子である。図４はその状態がさらに進んだ状態であり４０３の不織布に４０４のマイクロカプセルから水４０５が流出し４０２の固体から溶解し不織布に染み出し生成した液体に４０６が浸されている不織布である。
【００３２】
機能が洗浄の場合の本実施例について説明する。ここで塩素イオン濃度３２３０mg/lを含有した水に不織布を浸漬し乾燥させる。すると不織布の繊維質中に固体が生成する。水の入ったマイクロカプセルは不織布の表面に印刷を行い付着させる。その様子を図5に示した。図５の５０１は不織布であり、５０５で塩素イオン濃度３２３０mg/lを含有した水に浸漬し５０２で乾燥する。さらに５０３、５０３ａにより両面にマイクロカプセルを印刷し、両面にマイクロカプセルが印刷されたシート５０４を作成する。次に上記で作成したシート５０４を３枚積層し透水性の接着剤により接合する。その断面の様子を図６に示した。すなわち６０３、６０３ａ、６０３ｂは固体部を有する不織布である。６０２、６０２ａ、６０２ｂ、６０２ｃ、６０２ｄ、６０２ｅは水を含有するマイクロカプセル層である。前述のように作成することにより洗浄シートとなる。つまり圧力でマイクロカプセルが破壊されることにより洗浄成分が溶解し洗浄シートなる。
【００３３】
本製法によったシートで油脂汚れの付着した板で試したところ良好な洗浄結果が得られた。すなわちマイナスイオンとしてＣｌ−が働いたが、この様子は後述する。ここでは塩素イオン濃度を上記の通りしたがこれに限られるものではない。洗浄効果が得られる組成であればよい。また製法もこれに限られるものではなく例えば印刷などの方法で塩素イオン含有の水を印刷し乾燥させるといった方法のように本発明の趣旨に合致していればよい。
【００３４】
次に殺菌・除菌、洗浄、殺菌・除菌について説明するが、ここで先ほどと同様に塩素イオン濃度３３０００mg/lを含有した水に不織布を浸漬し乾燥させる。すると不織布の繊維質中に固体が生成する。水の入ったマイクロカプセルは不織布の表面に印刷を行い付着させる。その様子を図5に示した。図５の５０１は不織布であり、５０５で塩素イオン濃度３３０００mg/lを含有した水に浸漬し５０２で乾燥する。さらに５０３、５０３ａにより両面にマイクロカプセルを印刷し、両面にマイクロカプセルが印刷されたシート５０４を作成する。次に上記で作成したシート５０４を３枚積層し透水性の接着剤により接合する。その断面の様子を図６に示した。すなわち６０３、６０３ａ、６０３ｂは固体部を有する不織布である。６０２、６０２ａ、６０２ｂ、６０２ｃ、６０２ｄ、６０２ｅは水を含有するマイクロカプセル層である。前述のように作成することにより洗浄、殺菌・除菌シートとなる。つまり圧力でマイクロカプセルが破壊されることにより洗浄、殺菌・除菌成分が溶解し洗浄、殺菌・除菌シートになる。
【００３５】
本製法によったシートで殺菌・除菌テストを行ったところシートは強アルカリ（ｐＨ１３．２）でありブドウ球菌、緑膿菌に対して良好な結果が得られた。ここでは塩素イオン濃度を上記の通りしたがこれに限られるものではない。殺菌・除菌、洗浄効果が得られる濃度であればよい。また製法もこれに限られるものではなく例えば印刷などの方法で塩素イオン含有の水を印刷し乾燥させるといった方法のように本発明の趣旨に合致していればよい。
【００３６】
ここでは繊維質に不織布を使用したがこれに限られるものではなく溶解する固体を保持できる繊維質であればよく例えばスポンジあるいは織布、和紙、洋紙といった紙等でもよい。また不織布、スポンジ、織布、和紙、洋紙といったものを複数組み合わせてもよい。
【００３７】
次に他の実施形態について説明するが、図７は本発明の模式図であるシート７０１の断面図である。７０３は不織布であり繊維質中に溶解する前の７０２の固体が設けられている。この固体には水などに溶解する成分から構成されている。
【００３８】
本実施例の場合についてすなわち洗浄シートの製法について説明する。ここで塩素イオン濃度３２３０mg/lを含有した水に不織布を浸漬し乾燥させる。すると不織布中に固体が生成する。その様子を図８に示したがここで８０３の不織布シートを８０１の塩素イオン濃度３２３０mg/lを含有した水に浸漬し８０２で乾燥を行い８０４の洗浄シートとする。
【００３９】
本製法によったシートで油脂汚れの付着した板で試したところ良好な洗浄結果が得られた。その洗浄力テストの結果を図９に示したが、図に示したとおり、換気扇の表面に付着した油汚れを洗浄する洗浄力テストであるが本発明のシートに水をしみこませた物は非常に強い洗浄力を示した。これは市販の合成界面活性剤が大量に入っている強力洗剤を布にしみこませた物と同様であった。水を布にしみこませた物はほとんど洗浄力がなかった。また本発明品と同様に合成界面活性剤の使用を制限した環境負荷の低い市販のエコ洗剤を布にしみこませた物の洗浄力はかなり劣っていた。
【００４０】
ここではマイナスイオンとして塩素イオン（Ｃｌ−）が働いたが、このメカニズムは後述する。ここでは塩素イオン濃度を上記の通りしたがこれに限られるものではない。洗浄効果が得られる塩素イオン濃度であればよい。また製法もこれに限られるものではなく例えば印刷などの方法で塩素イオン含有の水を印刷し乾燥させるといった方法のように本発明の趣旨に合致していればよい。
【００４１】
以上の場合のメカニズムを説明したものが図１０から図１２である。図１０で１００３は不織布であり１００２は溶解する前の固体で１００４は水でありシート１００１に水をかけたとろである。１００４の水が不織布に沁みこんでいく様子を表している。図１１は水１１０４が不織布１１０３に沁みこみ溶解する前の固体１１０２と接触し溶解しているところであり、１１０５は不織布１１０３中で固体１１０２が溶解した液体部分が広がったところである。
【００４２】
図１２はさらに溶解が進んだ様子で１２０３の不織布のほとんどに１２０２の固体部分から溶解した液体に変わり不織布部分１２０４に液体が広がっている。この不織布にひろがった液体中に塩素イオン（Ｃｌ−）が含まれており洗浄効果を発揮する。
【００４３】
次に応用例を示すが不通水性シートを片側に形成したものの断面を図１３に示した。１３０１は洗浄シートであり１３０３は不織布、１３０２が固体部で１３０４が不通水性の膜である。こういった構造にすることにより人が手で１３０４に触れても水を通さないため手が汚れない。このような断面で手袋を作れば洗浄作業時に手の保護も含めて非常に楽になると考えられる。
【００４４】
ここでは繊維質に不織布を使用したがこれに限られるものではなく溶解する固体を保持できる繊維質であればよく例えばスポンジあるいは織布、和紙、洋紙といった紙等でもよい。また不織布、スポンジ、織布、和紙、洋紙といったものを複数組み合わせてもよい。
【００４５】
次にマイクロカプセルにマイナスイオンを含有する水を内包した本発明の機能シートを説明する。図１４はその模式図であり、シート１４０１の断面で１４０２は不織布１４０４はマイクロカプセル、１４０３はマイナスイオンを含有する液体である。
【００４６】
図１５は図１４のシートに圧力をかける様子を示しており、１５０２は不織布１５０４はマイクロカプセル、１５０３はマイナスイオンを含有する液体であり、１５０５は圧力である。すると図１６に示すように不織布１６０２中でマイクロカプセル１６０４が破壊され液体１６０３が不織布に染み出していき、染み出した部分が１６０５である。
【００４７】
本実施例の場合の製法について説明する。マイクロカプセル内に収納する液体は塩素イオン濃度３２３０mg/lを含有した水である。この液体の入ったマイクロカプセルは不織布の表面に印刷を行い付着させる。必要に応じて作成したシートを積層接着してもよい。
【００４８】
本製法によったシートで油脂汚れの付着した板で試したところ良好な洗浄結果が得られた。すなわちマイナスイオンとして塩素イオン（Ｃｌ−）が働いたが、この様子は後述する。こでは成分を上記の通りしたがこれに限られるものではない。洗浄効果が得られる塩素イオンの濃度であればよい。また製法もこれに限られるものではなく本発明の趣旨に合致していればよい。
【００４９】
ここでは繊維質に不織布を使用したがこれに限られるものではなく溶解する固体を保持できる繊維質であればよく例えばスポンジあるいは織布、和紙、洋紙といった紙等でもよい。また不織布、スポンジ、織布、和紙、洋紙といったものを複数組み合わせてもよい。
【００５０】
次にマイナスイオンでの洗浄のメカニズムについて説明する。図１７は板１７０２の上に汚れ１７０１が付着している様子を表した模式図である。通常汚れはプラスに帯電している。
【００５１】
図１８においては板１８０２の上に汚れ１８０１が付着しているところにマイナスイオン１８０３が引き寄せられていく様子を示している。図１９は板１９０２と汚れ１９０１の拡大図であり、汚れ１９０１のプラスに帯電している部分に引き寄せられてマイナスイオン１９０３ａ、１９０３が汚れの表面に付着しており、また板１９０２の表面にも同様に毛細管現象によりマイナスイオン１９０５が表面に付着しいている。そしてマイナス同士１９０３、１９０５は反発するため汚れ１９０１は板１９０２から浮き上がる。
【００５２】
図２０は浮き上がったところを示しており、板２００２から汚れ２００１は板に付着したマイナスイオン２００３と汚れ２００１に付着したマイナスイオン２００３、２００３ａにより反発力２００４により板２００２から汚れ２００１が離れていく様子を示している。
【００５３】
次に消臭シートの場合の実施形態について説明するが、図２１は本発明の模式図であるシート２１０１の断面図である。２１０３は不織布であり繊維質中に溶解する前の２１０２の固体が設けられている。この固体には汗などの水分に溶解する成分から構成されている。
【００５４】
本実施例の場合の製法について説明する。ここで塩素イオン濃度３２３０mg/lを含有した水に不織布を浸漬し乾燥させる。すると不織布中に固体が生成する。その様子を図２２に示したがここで２２０１の不織布シートに２２０４において塩素イオン濃度３２３０mg/lを含有した水に浸漬し２２０２で乾燥を行い２２０３のシートを作成する。これがが消臭シートである。
【００５５】
本製法によったシートで靴の中での消臭効果を試したところ良好な消臭結果が得られた。これは悪臭の主成分のアンモニアが汗等の水分によって溶解した塩素イオンと反応して無臭の塩化アンモニウムが生成したためである。このシートを使って夏期に靴の中に入れてテストを行ったところ不快な臭いは発生しなかった。また手洗をした手の水分を拭う動作を1ヶ月繰り返し消臭効果を試したところ良好な消臭結果が得られた。
【００５６】
ここでは塩素イオン濃度を上記の通りしたがこれに限られるものではない。消臭効果が得られる塩素イオン濃度であればよい。また製法もこれに限られるものではなく例えば印刷などの方法で塩素イオン含有の水を印刷し乾燥させるといった方法のように本発明の趣旨に合致していればよい。
【００５７】
その場合のメカニズムを説明したものが図２３から図２５である。図２３で２３０３は不織布であり２３０２は溶解する前の固体で２３０４は汗などの水分でありシートに水分が吸収されたところである。図２４は水分２４０４が不織布２４０３に沁みこみ溶解する前の固体２４０２と接触し溶解しているところであり、２４０５が不織布２４０３中で溶解した部分である。
【００５８】
図２５はさらに溶解が進んだ様子で２５０３の不織布のほとんど２５０２の固体部分から溶解した液体部分２５０４が広がっていき塩素イオンが消臭効果をもたらす。
【００５９】
ここでは繊維質に不織布を使用したがこれに限られるものではなく溶解する固体を保持できる繊維質であればよく例えばスポンジあるいは織布、和紙、洋紙といった紙等でもよい。また不織布、スポンジ、織布、和紙、洋紙といったものを複数組み合わせてもよい。
【図面の簡単な説明】
【００６０】
【図１】本発明の機能シートの断面
【図２】シートに加圧した様子
【図３】固体からの溶解のメカニズム
【図４】シートのほとんどが機能を持った様子
【図５】製造プロセス
【図６】シート積層の断面の様子
【図７】本発明の他の機能シートの断面
【図８】製造プロセス
【図９】洗浄力テストの結果
【図１０】シートに水を付加する様子
【図１１】固体からの溶解のメカニズム
【図１２】シートのほとんどが機能を持った様子
【図１３】不通水膜を有する洗浄シート
【図１４】マクロカプセルを内包した本発明の機能シートの断面
【図１５】マイクロカプセルを内包した機能シートに加圧している様子
【図１６】マイクロカプセルが破壊され内部の液体がシートに染み出している様子
【図１７】板と付着している汚れ
【図１８】汚れにマイナスイオンを供給している様子
【図１９】汚れにマイナスイオンが付着し汚れがとれつつある様子
【図２０】汚れが取れた様子
【図２１】本発明の消臭機能シートの断面
【図２２】製造プロセス
【図２３】シートに水を付加する様子
【図２４】固体から溶解のメカニズム
【図２５】シートのほとんどが機能を持った様子
【図１】
2011147765.tif 000003
【図２】
2011147765.tif 000004
【図３】
2011147765.tif 000005
【図４】
2011147765.tif 000006
【図５】
2011147765.tif 000007
【図６】
2011147765.tif 000008
【図７】
2011147765.tif 000009
【図８】
2011147765.tif 000010
【図９】
2011147765.tif 000011
【図１０】
2011147765.tif 000012
【図１１】
2011147765.tif 000013
【図１２】
2011147765.tif 000014
【図１３】
2011147765.tif 000015
【図１４】
2011147765.tif 000016
【図１５】
2011147765.tif 000017
【図１６】
2011147765.tif 000018
【図１７】
2011147765.tif 000019
【図１８】
2011147765.tif 000020
【図１９】
2011147765.tif 000021
【図２０】
2011147765.tif 000022
【図２１】
2011147765.tif 000023
【図２２】
2011147765.tif 000024
【図２３】
2011147765.tif 000025
【図２４】
2011147765.tif 000026
【図２５】
2011147765.tif 000027